(57)【要約】【課題】オペレータの視認精度を向上させ、目視によるキャリブレーションをより正確に行う。【解決手段】まずテストパターン［１］が表示され、テストパターン［１］に対する調整操作が終了すると、無地パターン（駆動レベルＤＤＬＭ）が表示される。無地パターンが一定時間表示されると、テストパターン［２］が表示される。テストパターン［２］に対する調整操作が終了すると、再び無地パターンが表示される。無地パターンが一定時間表示されると、テストパターン［３］が表示される。以下、同様にテストパターン［ｎ］及び無地パターンが表示される。【選択図】図５
2006050232.tif 000002
【特許請求の範囲】
【請求項１】
医用画像表示装置の表示手段に基準領域と調整領域とを含む複数のテストパターンを一画面に一パターンずつ切り替えて表示させ、前記表示されたテストパターンの調整領域の輝度レベルを目視により観察して調整し、当該調整結果に基づいて前記医用画像表示装置の表示階調特性を補正するキャリブレーション方法であって、
一のテストパターンの表示から他のテストパターンの表示への遷移過程で、単一輝度レベルの無地パターンを表示させることを特徴とするキャリブレーション方法。
【請求項２】
請求項１に記載のキャリブレーション方法において、
前記無地パターンの単一輝度レベルは、当該無地パターンの後に表示されるテストパターンの基準領域と同じ輝度レベルであることを特徴とするキャリブレーション方法。
【請求項３】
請求項１又は２に記載のキャリブレーション方法において、
前記無地パターンの表示は、予め定められた一定時間、又はオペレータからの指示を検出するまでの間行うことを特徴とするキャリブレーション方法。
【請求項４】
請求項１〜３のいずれか一項に記載のキャリブレーション方法において、
前記無地パターンの表示を一部省略することを特徴とするキャリブレーション方法。
【発明の詳細な説明】
【技術分野】
【０００１】
本発明は、オペレータの目視により医用画像表示装置の表示階調特性を補正するキャリブレーション方法に関する。
【背景技術】
【０００２】
医療の分野では、Ｘ線撮影、ＭＲＩ（Magnetic Resonance Imaging）撮影、超音波撮影等、様々な検査撮影により得られた患者の医用画像をモニタに表示させて読影を行うモニタ診断が普及しつつある。また、病院内外におけるネットワークの発展に伴い、同一画像を異なる場所のモニタで読影することも可能である。しかし、読影に使用するモニタがＬＣＤ（Liquid Crystal Display）、ＣＲＴ（Cathode Ray Tube）等、異なる種類である場合、表示特性が異なるため同一画像でも画像の見え方が異なり、また同一種類のモニタでもその使用による劣化の程度や設置環境等により、やはり画像の見え方が異なる場合がある。
【０００３】
このように、個々のモニタで画像の見え方にばらつきがあると、診断精度に影響を及ぼすため、表示階調特性の補正（以下、キャリブレーションという。）を行って各モニタにおける画像の見え方を統一することが必要である。従来から、輝度計を用いてキャリブレーションが行われているが、輝度計は一般に高価なものであるため輝度計を用いてのキャリブレーションはコスト高となる。また、読影用のモニタが何台もある場合、各モニタについて逐一輝度計によりキャリブレーションを行う作業は非常に手間がかかり、煩雑である。
【０００４】
一方、輝度計を使用してキャリブレーションを実施した後、オペレータが目視でキャリブレーション結果を確認する方法も提案されている（例えば、特許文献１参照。）。この特許文献１に記載の方法は、それぞれ異なる輝度レベルで表示された複数のテストパターンをモニタ上に表示して、オペレータ（観察者）に各テストパターンの輝度レベルを目視により確認させるものである。
【０００５】
また、基準領域と調整領域とを含む複数のテストパターンを一画面に一パターンずつ切り替えて表示して、テストパターンの調整領域の輝度レベルをオペレータが目視により観察して調整し、この調整結果に基づいて表示装置の表示階調特性を補正するキャリブレーション方法が提案されている。
【特許文献１】特開平１１−３２７５０１号公報
【発明の開示】
【発明が解決しようとする課題】
【０００６】
しかしながら、基準領域と調整領域とを含む複数のテストパターンを一画面に一パターンずつ切り替えて表示し、オペレータが目視によりキャリブレーションを行う場合には、各テストパターンの表示を切り替える際に、直前のテストパターンの基準領域と調整領域との境界が残像となって影響するため、オペレータの視認精度が低下し、正確なキャリブレーションを行うことが困難であった。
【０００７】
本発明は、オペレータの視認精度を向上させ、目視によるキャリブレーションをより正確に行うことを課題とする。
【課題を解決するための手段】
【０００８】
請求項１に記載の発明は、医用画像表示装置の表示手段に基準領域と調整領域とを含む複数のテストパターンを一画面に一パターンずつ切り替えて表示させ、前記表示されたテストパターンの調整領域の輝度レベルを目視により観察して調整し、当該調整結果に基づいて前記医用画像表示装置の表示階調特性を補正するキャリブレーション方法であって、一のテストパターンの表示から他のテストパターンの表示への遷移過程で、単一輝度レベルの無地パターンを表示させることを特徴としている。
【０００９】
請求項２に記載の発明は、請求項１に記載のキャリブレーション方法において、前記無地パターンの単一輝度レベルは、当該無地パターンの後に表示されるテストパターンの基準領域と同じ輝度レベルであることを特徴としている。
【００１０】
請求項３に記載の発明は、請求項１又は２に記載のキャリブレーション方法において、前記無地パターンの表示は、予め定められた一定時間、又はオペレータからの指示を検出するまでの間行うことを特徴としている。
【００１１】
請求項４に記載の発明は、請求項１〜３のいずれか一項に記載のキャリブレーション方法において、前記無地パターンの表示を一部省略することを特徴としている。
【発明の効果】
【００１２】
請求項１に記載の発明によれば、一のテストパターンの表示から他のテストパターンの表示への遷移過程で、単一輝度レベルの無地パターンを表示させるので、基準領域と調整領域との境界が残像となってオペレータの視認精度が低下することを防止することができる。したがって、オペレータの視認精度を向上させ、キャリブレーションをより正確に行うことができる。
【００１３】
請求項２に記載の発明によれば、無地パターンの単一輝度レベルを、無地パターンの後に表示されるテストパターンの基準領域と同じ輝度レベルとすることにより、オペレータの目が視認すべきテストパターンの輝度レベルに順応して視認精度が向上する。したがって、キャリブレーションをより正確に行うことができる。
【００１４】
請求項３に記載の発明によれば、予め定められた一定時間、又はオペレータからの指示を検出するまでの間、無地パターンを表示するので、残像によりオペレータの視認精度が低下することを防止することができる。したがって、キャリブレーションをより正確に行うことができる。
【００１５】
請求項４に記載の発明によれば、無地パターンの表示を一部省略することにより、キャリブレーションに要する時間を短縮することができる。
【発明を実施するための最良の形態】
【００１６】
［第１の実施の形態］
まず、第１の実施の形態における医用画像表示装置１０の構成を説明する。
図１に、医用画像表示装置１０の内部構成を示す。
図１に示すように、医用画像表示装置１０は、制御部１１、操作部１２、表示部１３、通信部１４、ＲＡＭ（Random Access Memory）１５、記憶部１６から構成されている。
【００１７】
制御部１１は、記憶部１６に記憶されているシステムプログラム、本発明に係るキャリブレーション処理プログラム等の各種制御プログラムをＲＡＭ１５に展開し、当該制御プログラムに従って各部の動作を集中制御する。
【００１８】
具体的に、制御部１１は、医用画像表示装置１０で表示駆動可能な各駆動レベルに設定されたＮ個の各テストパターンのデータを表示部１３に出力して表示させる。このＮ個のテストパターンを表示部１３に表示させる際、制御部１１は一画面に一のテストパターンを配置した画面データを生成し、表示部１３に出力することにより、一画面に一パターンずつ切り替えて表示させる。また、制御部１１は、一のテストパターンの表示から他のテストパターンの表示への遷移過程で、単一駆動レベル（すなわち、単一輝度レベル）の無地パターンを表示させる。
【００１９】
そして、表示されたテストパターンについて、操作部１２を介して輝度レベルの調整操作が行われると、制御部１１は、その操作指示に応じてテストパターンにおける駆動レベルを変更して表示部１３により表示駆動させる。調整操作が終了すると、調整後の各テストパターンにおける駆動レベルの値に基づいて医用画像表示装置１０の表示階調特性を補正する補正曲線を求める。そして、当該補正曲線の入力値に対する出力値（駆動レベル）を規定したＬＵＴ（Look Up Table）を作成し、記憶部１６に記憶させる。
【００２０】
なお、表示特性とは駆動レベルと輝度レベルとの相関をいい、表示階調特性とは表示対象の画像データにおける画素値の入力レベルとその画像データを表示した際における輝度レベルとの相関をいう。
【００２１】
操作部１２は、キーボードやマウスを有し、これらキーボードやマウスが操作されると、その操作に応じた操作信号を生成して制御部１１に出力する。なお、操作部１２は、表示部１３と一体に形成されたタッチパネル等を有することとしてもよい。
【００２２】
表示部１３は、ＬＣＤ、ＣＲＴ等のモニタを有し、制御部１１から入力される表示制御信号に従って当該モニタを駆動する。キャリブレーション処理時には、制御部１１から入力される各テストパターンを一画面に一パターンずつ切り替えて表示させる。
【００２３】
通信部１４は、ＮＩＣ（Network Interface Card）やモデム、ルータ等の通信用インターフェイスを有し、これら通信用インターフェイスを介して病院内に設けられたＬＡＮ（Local Area Network）上の外部機器とデータ通信を行う。例えば、患者の医用画像がデータベース化されて管理されている画像サーバにアクセスして医用画像のデータを取得する。
【００２４】
ＲＡＭ１５は、制御部１１において実行される各種プログラムや、これらプログラムによって処理されたデータ等を一時的に記憶するワークエリアを形成する。
【００２５】
記憶部１６は、磁気的又は光学的記録媒体、若しくは半導体メモリ等により構成され、システムプログラム、キャリブレーション処理プログラム等の各種制御プロラグムを記憶している。また、記憶部１６は、プログラムの処理結果として、例えばキャリブレーション処理により作成された、医用画像表示装置１０の表示階調特性を補正するためのＬＵＴを記憶している。
【００２６】
また、記憶部１６は、キャリブレーション処理において使用される複数のテストパターンのデータを記憶している。
図２に、テストパターンの例を示す。
図２に示すように、テストパターン［ｎ］（括弧内のｎは各テストパターンを識別するために付されたパターン番号を示す。ｎ＝１，２，・・・，Ｎ）は表示部１３において駆動可能な駆動レベルのレベル範囲、つまり０〜最大駆動レベルＤＤＬmaxを（Ｎ−１）等分し、（Ｎ−１）等分されたそれぞれの駆動レベルに対応して作成されたものである。なお、ここでは７等分した例を示したが、等分する数はキャリブレーションの精度により適宜設定可能であるとする。高精度にキャリブレーションを行いたい場合はＮ数を増加させることが好ましい。
【００２７】
各テストパターン［ｎ］には、図３に示すように異なる駆動レベルが設定された２つの表示領域が形成されている。一方の表示領域（以下、基準領域という。）には最大駆動レベルＤＤＬmaxが（Ｎ−１）等分された駆動レベルが設定され、他方の表示領域（以下、調整領域という。）にはその一方の表示領域に設定された駆動レベルより所定レベル高い駆動レベルが設定されている。すなわち、調整領域は、基準領域より高輝度レベルとなるように駆動レベルが設定されている。
【００２８】
テストパターン［ｎ］の基準領域の駆動レベルをＤＤＬＫ［ｎ］、調整領域の駆動レベルをＤＤＬＴ［ｎ］とすると、ＤＤＬＫ［ｎ］は下記式１により示され、ＤＤＬＴ［ｎ］は下記式２により示される。
【数１】
2006050232.tif 000003
【００２９】
ただし、テストパターン［Ｎ］に関してのみ、
【数２】
2006050232.tif 000004
とする。
【００３０】
次に、上記テストパターン［ｎ］を用いて医用画像表示装置１０により実行されるキャリブレーション処理について説明する。
図４は、キャリブレーション処理１を説明するフローチャートである。
【００３１】
まず、表示するテストパターン［ｎ］のパターン番号ｎが初期値であるｎ＝１に設定される（ステップＳ１）。パターン番号ｎが設定されると、制御部１１においてそのパターン番号ｎのテストパターン［ｎ］のデータが記憶部１６から読み出される。そして、テストパターン［ｎ］を含む表示画面データが生成される。生成された表示画面データは表示部１３に出力され、表示部１３ではテストパターン毎に設定されている駆動レベルに基づいてモニタの表示駆動が行われ、テストパターン［ｎ］が表示される（ステップＳ２）。
【００３２】
テストパターン［ｎ］が表示されると、オペレータは操作部１２を介して、テストパターン［ｎ］中の調整領域と基準領域の輝度レベル差が目視により視認できる最小の輝度レベル差となるまで、調整領域の輝度レベルを上げる又は下げる調整操作を行う。視認できる最小の輝度レベル差とは、オペレータが調整領域の輝度レベルを基準領域の輝度レベルに合わせて調整した結果、その輝度レベル差が視認できる限界における輝度レベル差をいう。具体的には調整領域の輝度レベルをあと１レベル下げると、オペレータが調整領域と基準領域の輝度レベル差を識別できなくなる段階まで輝度レベルを調整する。
【００３３】
医用画像表示装置１０では、操作部１２を介して調整領域の輝度調整の操作が行われると、その操作信号が信号解析され、輝度レベルを上げる又は下げるの何れが操作指示されたのかが判別される（ステップＳ３）。輝度レベルを上げるように操作指示された場合（ステップＳ３；ｕｐ）、調整領域の駆動レベルＤＤＬＴ［ｎ］が１レベル分増加され、表示中の調整領域が増加された駆動レベルＤＤＬＴ［ｎ］で表示駆動される（ステップＳ４）。一方、輝度を下げるように操作指示された場合（ステップＳ３；ｄｏｗｎ）、調整領域の駆動レベルＤＤＬＴ［ｎ］が１レベル分下げられ、表示中の調整領域が下げられた駆動レベルＤＤＬＴ［ｎ］で表示駆動される（ステップＳ５）。すなわち、一操作に応じて１駆動レベル分だけ輝度レベルが上下されて表示される。なお、調整領域の輝度レベルを下げる操作が繰り返された場合でも、調整領域の輝度レベルが基準領域の輝度レベル以下とならないように、基準領域の駆動レベル以下となる調整操作を無効とする等してその調整操作を制限することとする。
【００３４】
駆動レベルの調整操作が行われると、調整操作が終了したか否かが判別され（ステップＳ６）、まだ操作部１２を介して調整操作が行われている場合は（ステップＳ６；Ｎ）、ステップＳ３の処理に戻り、入力される操作指示に従って輝度レベルが調整される。一方、調整操作が終了した場合（ステップＳ６；Ｙ）、調整終了時におけるテストパターン［ｎ］の調整領域の駆動レベルＤＤＬＴ’［ｎ］が判別され、当該駆動レベルＤＤＬＴ’［ｎ］と基準領域の駆動レベルＤＤＬＫ［ｎ］との差ΔＤＤＬjnd［ｎ］が算出される（ステップＳ７）。このΔＤＤＬjnd［ｎ］は、そのテストパターン［ｎ］においてオペレータが視認可能な最小の輝度レベル差に対応する。
【００３５】
次いで、全てのテストパターン［ｎ］について上述した調整操作が終了したか否かが判別される（ステップＳ８）。全てのテストパターン［ｎ］について調整操作が終了していない場合（ステップＳ８；Ｎ）、パターン番号ｎが１だけインクリメントされる（ステップＳ９）。そして、表示部１３では無地パターン用の駆動レベルＤＤＬＭに基づいてモニタの表示駆動が行われ、無地パターンが表示される（ステップＳ１０）。ここで、無地パターン用の駆動レベルＤＤＬＭは予め定められた一定の値であり、任意の値に設定可能であることとする。表示部１３において無地パターンが表示された状態で、予め定められた一定時間が経過した場合には（ステップＳ１１；Ｙ）、ステップＳ２の処理に戻る。すなわち、次のテストパターン［ｎ］の表示画面が表示され、調整操作が繰り返される。なお、無地パターンを表示する一定時間として、直前のテストパターン［ｎ］の残像が消えるのに充分な時間を設定しておく。
【００３６】
このようにパターン番号ｎを順次インクリメントしてステップＳ２〜Ｓ１１の処理を繰り返すことにより、表示部１３では、一のテストパターンの表示から他のテストパターンの表示への遷移過程で無地パターンが表示されながら、パターン番号順に各テストパターン［ｎ］が順次表示されていく。
【００３７】
図５を参照して、テストパターン［ｎ］及び無地パターンの表示順序を説明する。図５に示すように、まずテストパターン［１］が表示され、テストパターン［１］に対する調整操作が終了すると、無地パターン（駆動レベルＤＤＬＭ）が表示される。無地パターンが一定時間表示されると、テストパターン［２］が表示される。テストパターン［２］に対する調整操作が終了すると、再び無地パターンが表示される。無地パターンが一定時間表示されると、テストパターン［３］が表示される。以下、同様にテストパターン［ｎ］及び無地パターンが表示される。
【００３８】
図４に戻り、全てのテストパターン［ｎ］が表示され、調整操作が終了した場合（ステップＳ８；Ｙ）、図６に示すように各テストパターン［ｎ］の基準領域の駆動レベルＤＤＬＫ［ｎ］に対して算出されたΔＤＤＬjnd［ｎ］がプロットされ、各プロット点の近似関数ｇ（ＤＤＬ）が算出される（ステップＳ１２）。つまり、離散値である各ΔＤＤＬjnd［ｎ］が補間されて全レベル範囲の駆動レベルＤＤＬに対応する連続値が得られる。近似関数ｇ（ＤＤＬ）は、駆動レベルＤＤＬと最小駆動レベル差ΔＤＤＬjnd［ｎ］との対応関係を示す関数である。
【００３９】
次いで、算出された関数ｇ（ＤＤＬ）を駆動レベルＤＤＬで積分した関数ｈ（ＤＤＬ）が下記式５により算出される（ステップＳ１３）。上記ｇ（ＤＤＬ）はｈ（ＤＤＬ）の傾きを示す。
【数３】
2006050232.tif 000005
【００４０】
図７は、ｈ（ＤＤＬ）を示す図である。横軸は駆動レベルＤＤＬ、縦軸は駆動レベルＤＤＬに対するｈ（ＤＤＬ）を示す。このとき、医用画像表示装置１０で駆動可能な最大駆動レベルＤＤＬmaxに対応するｈ（ＤＤＬ）の値をＩmaxとすると、このＩmaxが最大駆動レベルＤＤＬmaxに対応するようにｈ（ＤＤＬ）（つまり、縦軸の値）が正規化され、正規化されたｈ（ＤＤＬ）を示すｆ（ＤＤＬ）が下記式６により算出される（ステップＳ１４）。
【数４】
2006050232.tif 000006
【００４１】
そして、図７の横軸の駆動レベルＤＤＬを画素値の入力レベルに置き換え、縦軸のｈ（ＤＤＬ）を算出されたｆ（ＤＤＬ）に置き換えた、図８に示すような曲線が作成される。ここで、図８中のＰmaxは医用画像表示装置１０で表現可能な最大階調を示す。この曲線により、画素値の入力レベルが最終的にその入力レベルに視覚的にリニアな輝度レベルで表示されるように、画素値の入力レベルから対応する輝度レベルを実現する駆動レベルを得ることができる。すなわち、ｆ（ＤＤＬ）は、医用画像表示装置１０の表示特性に応じて表示階調特性（画素値の入力レベルとその入力レベルに応じて実際に表示された際の輝度レベルとの関係）を補正する補正曲線である。制御部１１では、この補正曲線の入力値に対する出力値が算出されてテーブル化され、ＬＵＴが作成される（ステップＳ１５）。そして、この作成されたＬＵＴは、医用画像表示装置１０の表示階調特性を補正するためのＬＵＴとして記憶部１６に記憶される。
【００４２】
医用画像を表示する際には、作成されたＬＵＴが参照され、医用画像の画素値の入力レベル（入力値）に対応する駆動レベル（出力値）を得て当該駆動レベルで表示駆動が行われる。ＬＵＴにより得られた駆動レベルは、その駆動レベルで駆動表示された際の輝度レベルが画素値の入力レベルと視覚的にリニアな関係となるように補正された駆動レベルであるので、医用画像表示装置１０の表示特性及びオペレータの視覚特性に応じて、医用画像表示装置１０の表示階調特性が補正されたこととなる。
以上で、キャリブレーション処理１が終了する。
【００４３】
以上のように、第１の実施の形態によれば、一のテストパターンの表示から他のテストパターンの表示への遷移過程で、単一輝度レベルの無地パターンを表示させるので、基準領域と調整領域との境界が残像となってオペレータの視認精度が低下することを防止することができる。したがって、オペレータの視認精度を向上させ、キャリブレーションをより正確に行うことができる。
【００４４】
［第２の実施の形態］
次に、本発明を適用した第２の実施の形態について説明する。
第２の実施の形態における医用画像表示装置は、第１の実施の形態に示した医用画像表示装置１０と同様の構成であるため、同一の構成部分については同一の符号を付し、その構成については説明を省略する。また、キャリブレーションに用いるテストパターンについても、第１の実施の形態と同様、図２に示したテストパターンを用いる。以下、第２の実施の形態に特徴的な処理について説明する。
【００４５】
第１の実施の形態では、無地パターンを表示する際の駆動レベルを一定の値としたが、第２の実施の形態では、無地パターンを表示する際の駆動レベルをその無地パターンの後に表示されるテストパターンの基準領域と同じ駆動レベルとする。すなわち、無地パターンは、その後に表示されるテストパターンの基準領域の輝度レベルと同じ輝度レベルで表示される。
【００４６】
図９は、第２の実施の形態における医用画像表示装置により実行されるキャリブレーション処理２を説明するフローチャートである。
図９において、ステップＳ２１〜Ｓ２９については図４に示したキャリブレーション処理１のステップＳ１〜Ｓ９と同様であるため、説明を省略する。
【００４７】
ステップＳ２９において、パターン番号ｎが１だけインクリメントされた後（ステップＳ２９）、表示部１３では基準領域の駆動レベルＤＤＬＫ［ｎ］に基づいてモニタの表示駆動が行われ、無地パターンが表示される（ステップＳ３０）。表示部１３において無地パターンが表示された状態で、予め定められた一定時間が経過した場合には（ステップＳ３１；Ｙ）、ステップＳ２２の処理に戻る。すなわち、次のテストパターン［ｎ］の表示画面が表示され、調整操作が繰り返される。
【００４８】
このようにパターン番号ｎを順次インクリメントしてステップＳ２２〜Ｓ３１の処理を繰り返すことにより、表示部１３では、一のテストパターンの表示から他のテストパターンの表示への遷移過程で無地パターンが表示されながら、パターン番号順に各テストパターン［ｎ］が順次表示されていく。
【００４９】
図１０を参照して、テストパターン［ｎ］及び無地パターンの表示順序を説明する。図１０に示すように、まずテストパターン［１］が表示され、テストパターン［１］に対する調整操作が終了すると、テストパターン［２］の基準領域の駆動レベルＤＤＬＫ［２］と同じ駆動レベルで無地パターンが表示される。無地パターンが一定時間表示されると、テストパターン［２］が表示される。テストパターン［２］に対する調整操作が終了すると、テストパターン［３］の基準領域の駆動レベルＤＤＬＫ［３］と同じ駆動レベルで無地パターンが表示される。無地パターンが一定時間表示されると、テストパターン［３］が表示される。以下、同様にテストパターン［ｎ］及び無地パターンが表示される。
【００５０】
図９に戻り、全てのテストパターン［ｎ］が表示され、調整操作が終了した場合（ステップＳ２８；Ｙ）、ステップＳ３２の処理に移行する。図９において、ステップＳ３２〜Ｓ３５については図４に示したキャリブレーション処理１のステップＳ１２〜Ｓ１５と同様であるため、説明を省略する。
以上で、キャリブレーション処理２が終了する。
【００５１】
以上のように、第２の実施の形態によれば、無地パターンの単一輝度レベルを、無地パターンの後に表示されるテストパターンの基準領域と同じ輝度レベルとすることにより、オペレータの目が視認すべきテストパターンの輝度レベルに順応して視認精度が向上する。したがって、キャリブレーションをより正確に行うことができる。
【００５２】
［第３の実施の形態］
次に、本発明を適用した第３の実施の形態について説明する。
第３の実施の形態における医用画像表示装置は、第１の実施の形態に示した医用画像表示装置１０と同様の構成であるため、同一の構成部分については同一の符号を付し、その構成については説明を省略する。また、キャリブレーションに用いるテストパターンについても、第１の実施の形態と同様、図２に示したテストパターンを用いる。以下、第３の実施の形態に特徴的な処理について説明する。
【００５３】
第１及び第２の実施の形態では、無地パターンを一定時間表示した後、次のテストパターン［ｎ］を表示することとしたが、第３の実施の形態では、オペレータからの指示を検出後、次のテストパターン［ｎ］を表示することとする。
【００５４】
図１１は、第３の実施の形態における医用画像表示装置により実行されるキャリブレーション処理３を説明するフローチャートである。
図１１において、ステップＳ４１〜Ｓ４９については図４に示したキャリブレーション処理１のステップＳ１〜Ｓ９と同様であるため、説明を省略する。
【００５５】
ステップＳ４９において、パターン番号ｎが１だけインクリメントされた後（ステップＳ４９）、表示部１３では基準領域の駆動レベルＤＤＬＫ［ｎ］に基づいてモニタの表示駆動が行われ、無地パターンが表示される（ステップＳ５０）。表示部１３において無地パターンが表示された状態で、オペレータから次のテストパターン［ｎ］を表示するよう指示が有ったか否かが判断される（ステップＳ５１）。次のテストパターン［ｎ］を表示する旨の指示が検出された場合には（ステップＳ５１；Ｙ）、ステップＳ４２の処理に戻る。すなわち、次のテストパターン［ｎ］の表示画面が表示され、調整操作が繰り返される。
【００５６】
このようにパターン番号ｎを順次インクリメントしてステップＳ４２〜Ｓ５１の処理を繰り返すことにより、表示部１３では、一のテストパターンの表示から他のテストパターンの表示への遷移過程で無地パターンが表示されながら、パターン番号順に各テストパターン［ｎ］が順次表示されていく。
【００５７】
図１２を参照して、テストパターン［ｎ］及び無地パターンの表示順序を説明する。図１２に示すように、テストパターン［１］が表示され、テストパターン［１］に対する調整操作が終了すると、テストパターン［２］の基準領域の駆動レベルＤＤＬＫ［２］と同じ駆動レベルで無地パターンが表示される。無地パターンが表示される表示部１３の表示画面上には、「次へ」ボタン２０が表示される。オペレータは、直前のテストパターン［１］の基準領域と調整領域との境界の残像が消えたことを確認した後、操作部１２からの操作により、「次へ」ボタン２０を押下する。「次へ」ボタン２０の押下信号は制御部１１へ出力され、制御部１１によりこの押下信号が検出されると、テストパターン［２］が表示される。テストパターン［２］に対する調整操作が終了すると、テストパターン［３］の基準領域の駆動レベルＤＤＬＫ［３］と同じ駆動レベルで無地パターンが表示される。オペレータは、直前のテストパターン［２］の残像が消えたことを確認した後、操作部１２からの操作により、「次へ」ボタン２０を押下する。「次へ」ボタン２０の押下信号は制御部１１へ出力され、制御部１１によりこの押下信号が検出されると、テストパターン［３］が表示される。以下、同様にテストパターン［ｎ］及び無地パターンが表示される。
【００５８】
図１１に戻り、全てのテストパターン［ｎ］が表示され、調整操作が終了した場合（ステップＳ４８；Ｙ）、ステップＳ５２の処理に移行する。図１１において、ステップＳ５２〜Ｓ５５については図４に示したキャリブレーション処理１のステップＳ１２〜Ｓ１５と同様であるため、説明を省略する。
以上で、キャリブレーション処理３が終了する。
【００５９】
以上のように、第３の実施の形態によれば、オペレータからの指示を検出するまでの間、無地パターンを表示するので、残像によりオペレータの視認精度が低下することを防止することができる。したがって、キャリブレーションをより正確に行うことができる。
【００６０】
なお、第３の実施の形態では、無地パターンの駆動レベルを、この無地パターンの後に表示するテストパターン［ｎ］の基準領域の駆動レベルＤＤＬＫ［ｎ］と同じ駆動レベルとすることとしたが、第１の実施の形態と同様に、一定の値とすることとしてもよい。
【００６１】
上記各実施の形態における記述は、本発明に係る好適なキャリブレーション方法の例であり、これに限定されるものではない。医用画像表示装置を構成する各部の細部構成及び細部動作に関しても本発明の趣旨を逸脱することのない範囲で適宜変更可能である。
【００６２】
例えば、上記各実施の形態では、各テストパターン［ｎ］を表示する際に、一のテストパターンの表示から他のテストパターンの表示への遷移過程の全てにおいて、無地パターンを表示することとしたが、無地パターンの表示を一部省略することとしてもよい。例えば、キャリブレーション処理において重要な輝度レベルに相当する部分にのみ無地パターンを表示したり、テストパターンを切り替える遷移過程のうち何回かに一回の割合で無地パターンを表示したりすることともできる。無地パターンの表示を一部省略することにより、キャリブレーションに要する時間を短縮することができる。
【００６３】
また、上記各実施の形態では、テストパターン［ｎ］のうち最も輝度が高いテストパターン［Ｎ］の基準領域の駆動レベルＤＤＬＫ［Ｎ］、及び調整領域の駆動レベルＤＤＬＴ［Ｎ］を式３、式４で示す値に設定することとしたが、調整領域の駆動レベルＤＤＬＴ［Ｎ］を最大駆動レベルＤＤＬmaxから次第に下げていき、調整領域と基準領域の輝度レベル差が目視により視認できる最小の輝度レベル差となるよう調整した場合、最大駆動レベルＤＤＬmax付近のデータが得られないおそれがある。そこで、最も輝度が高いテストパターン［Ｎ］に関してのみ、基準領域の駆動レベルＤＤＬＫ［Ｎ］の方を変化させ、基準領域の輝度レベルを調整領域の輝度レベルに近付けるように調整し、視認可能な最小の輝度レベル差に対応する駆動レベル差を求めることとしてもよい。
【００６４】
また、逆に、基準領域の駆動レベルＤＤＬＫ［Ｎ］を最大駆動レベルＤＤＬmaxに設定し、調整領域の駆動レベルＤＤＬＴ［Ｎ］を最大駆動レベルＤＤＬmaxより所定レベル低い駆動レベルに設定し、調整領域の輝度レベルを低い方から基準領域の輝度レベルに近付けるように調整し、視認可能な最小の輝度レベル差に対応する駆動レベル差を求めることとしてもよい。
【００６５】
また、上記各実施の形態では、図２及び図３に示したような方形状の表示領域から形成されるテストパターン［ｎ］を用いることとしたが、これに限らず、図１３及び図１４に示すようなライン状の表示領域から形成されるテストパターン［ｎ］であってもよい。
【００６６】
図１３に示す各テストパターン［ｎ］は、図１４に示すように異なる駆動レベルが設定された２つのライン状の表示領域を１対のラインペアとして、複数対のラインペアが形成されている。ラインペアの一方のラインを基準領域とし、他方のラインを調整領域とする。この場合にも、図２及び図３に示した例と同様に、各テストパターン［ｎ］の調整領域及び基準領域の駆動レベルを設定すればよい。
【図面の簡単な説明】
【００６７】
【図１】第１の実施の形態における医用画像表示装置１０の内部構成を示すブロック図である。
【図２】キャリブレーション処理時に表示されるテストパターン［ｎ］を示す図である。
【図３】テストパターン［ｎ］を形成する２つの表示領域について説明する図である。
【図４】医用画像表示装置１０により実行されるキャリブレーション処理１を説明するフローチャートである。
【図５】第１の実施の形態におけるテストパターン［ｎ］及び無地パターンの表示順序を説明するための図である。
【図６】関数ｇ（ＤＤＬ）を示すグラフである。
【図７】関数ｈ（ＤＤＬ）を示すグラフである。
【図８】医用画像表示装置１０の表示階調特性を補正する補正曲線を示すグラフである。
【図９】第２の実施の形態の医用画像表示装置により実行されるキャリブレーション処理２を説明するフローチャートである。
【図１０】第２の実施の形態におけるテストパターン［ｎ］及び無地パターンの表示順序を説明するための図である。
【図１１】第３の実施の形態の医用画像表示装置により実行されるキャリブレーション処理３を説明するフローチャートである。
【図１２】第３の実施の形態におけるテストパターン［ｎ］及び無地パターンの表示順序を説明するための図である。
【図１３】ラインペアにより形成されるテストパターン［ｎ］を示す図である。
【図１４】テストパターン［ｎ］を形成するランイイペアについて説明する図である。
【符号の説明】
【００６８】
１０  医用画像表示装置
１１  制御部
１２  操作部
１３  表示部
１４  通信部
１５  ＲＡＭ
１６  記憶部
【図１】
2006050232.tif 000007
【図４】
2006050232.tif 000008
【図６】
2006050232.tif 000009
【図７】
2006050232.tif 000010
【図８】
2006050232.tif 000011
【図９】
2006050232.tif 000012
【図１１】
2006050232.tif 000013
【図２】
2006050232.tif 000014
【図３】
2006050232.tif 000015
【図５】
2006050232.tif 000016
【図１０】
2006050232.tif 000017
【図１２】
2006050232.tif 000018
【図１３】
2006050232.tif 000019
【図１４】
2006050232.tif 000020